(57)【特許請求の範囲】
【請求項１】
複数の棒材を組立てて構成される支持フレームと、
前記支持フレームに対して装着され、内部空間が構成される幕体とを有し、
前記幕体が、
前記支持フレームに囲まれた領域を主空間として形成する主空間構成部と、
前記主空間に隣接する領域を副空間として形成する副空間構成部と、
前記幕体の一部を開閉可能とされた開口部とを有し、
前記開口部として、少なくとも第一開口部、及び第二開口部が設けられており、
前記支持フレームに対して前記幕体を装着した状態において、前記第一開口部及び前記第二開口部が、相互に向かい合う位置に構成されるものであり、
前記副空間構成部が、前記支持フレームの上方側から外側下方に向かって傾斜して張設される傾斜部を有するものであり、
前記副空間構成部として、少なくとも第一副空間構成部、及び第二副空間構成部の二つの前記副空間構成部が形成されるものであり、
前記第一副空間構成部、及び第二副空間構成部が、それぞれ前記支持フレームを介して対向する位置に一対の前記副空間を形成可能とされていることを特徴とするロッジ型テント。
【請求項２】
前記幕体の一部を開閉可能とされた開口部を有し、
前記開口部の少なくとも一つが、前記支持フレームに対して前記幕体を装着した状態において窓を構成するものであり、
前記窓を構成する前記開口部を閉塞するように、透光性を有する透光性部材を着脱可能であることを特徴とする請求項１に記載のロッジ型テント。
【請求項３】
前記幕体の一部を開閉可能とされた開口部を有し、
前記開口部の少なくとも一つが、前記支持フレームに対して前記幕体を装着した状態において窓を構成するものであり、
前記内部空間側であって、前記窓を構成する前記開口部の上方に、他部材を吊り下げ可能な吊下部が設けられていることを特徴とする請求項１又は２に記載のロッジ型テント。
【請求項４】
前記内部空間において前記副空間を区画する副空間区画体を有することを特徴とする請求項１〜３のいずれかに記載のロッジ型テント。
【請求項５】
前記副空間区画体が、前記副空間内に配置されるインナーテントであることを特徴とする請求項４に記載のロッジ型テント。
【請求項６】
前記副空間区画体が、前記支持フレーム又は前記幕体に対して着脱可能であることを特徴とする請求項４又は５に記載のロッジ型テント。
【請求項７】
前記幕体の全部又は一部が合成繊維と綿との混合繊維により構成されることを特徴とする請求項１〜６のいずれかに記載のロッジ型テント。
【請求項８】
前記副空間構成部が、前記傾斜部から下方に垂れて前記副空間構成部の壁面を構成する下垂部を備えることを特徴とする請求項１〜７のいずれかに記載のロッジ型テント。
【請求項９】
前記幕体が、前記傾斜部の上方側近傍を前記支持フレームに対して位置決めする位置決め部を備えることを特徴とする請求項１〜８のいずれかに記載のロッジ型テント。
【発明の詳細な説明】
【技術分野】
【０００１】
本発明は、広い主空間を確保しつつ副空間を備えた複数の空間を有するロッジ型テントに関する。
【背景技術】
【０００２】
従来より野外キャンプ等のアウトドア活動は人気の高い余暇の過ごし方であり、これらの野外キャンプでの寝泊まりのためにテントが用いられている。このような野外キャンプにおいて用いられるテントには、弾性骨杆をドーム型に構成して支持されるドーム型テントや、立設する支持ポールにより支持されるロッジ型テントがあり、主にこれらの２つの形状のものがよく用いられている。
【０００３】
ドーム型テントは、軽量で組み立てが簡易なものが多数提供されているものの、広い居住空間を確保しようとすると構造及び組立てが複雑となる。また、複数の弾性骨杆を交差させて湾曲させて骨格を形成するため、外形の大きさにも限界がある。一方、ロッジ型テントにおいては、立設させる支柱ポールと横杆ポールとを組み合わせて骨格が形成され、ドーム型テントと比較的して外形が大きく、広い居住空間が確保できる。そのため、３〜４人以上が１つのテントに寝泊まりする場合には、ロッジ型テントが多く用いられる。
【０００４】
ここで、一定人数以上で１つのテントに寝泊まりする場合には、様々な状況が想定される。例えば、友人同士の２つのグループである場合や、同一家族であっても着替える場所を確保したい等、１つのテント内部には複数の空間を有することが望ましい。
【０００５】
このような複数空間を有するテントとして、特許文献１では、テント全体が平面視上Ｌ字型の形状とされ、Ｌ字型のテント外形内部に複数のインナーテントを設けて複数空間を構成している。
【０００６】
また、特許文献２において開示されているドーム型テントでは、テント出入り口近傍を第２室として使用することができるフライシートが提案されている。
【先行技術文献】
【特許文献】
【０００７】
【特許文献１】実用新案登録第３０２６９４０号公報
【特許文献２】特開平８−１５８７０７号公報
【発明の概要】
【発明が解決しようとする課題】
【０００８】
しかしながら、特許文献１のテントは複数の広い内部空間を得ることができるものの、平面視上Ｌ字型となるテントを設営するために、通常のロッジ型テントと比較して大がかりで複雑な骨組み（支持フレーム）を組み立てる必要がある。そのため、テントの設営に労力や時間がかかるおそれがあり、簡単に設営できるとは言い難い
【０００９】
特許文献２ではドーム型テントが採用されているため、設営は比較的容易ではあるものの、さほど広い主空間を確保できない。
【００１０】
そこで本発明のロッジ型テントは、広い主空間を確保しつつ副空間を備え、かつ通常のロッジ型テントの組立てと同様に支持フレームの組み立てが簡易なロッジ型テントの提供を目的とした。
【課題を解決するための手段】
【００１１】
かかる課題を解決すべく提供される本発明のロッジ型テントは、複数の棒材を組立てて構成される支持フレームと、前記支持フレームに対して装着され、内部空間が構成される幕体とを有し、前記幕体が、前記支持フレームに囲まれた領域を主空間として形成する主空間構成部と、前記主空間に隣接する領域を副空間として形成する副空間構成部とを備え、前記副空間構成部が、前記支持フレームの上方側から外側下方に向かって傾斜して張設される傾斜部を有することを特徴とする。
【００１２】
本発明のロッジ型テントによれば、ロッジ型テントの支持フレームで構成される領域を主空間としつつ、副空間を得ることができる。これらの空間により、ロッジ型テント内部に複数の空間が形成される。本発明のロッジ型テントの副空間は、支持フレームから張設される傾斜部の下方に形成される。そのため、副空間を構成するために支持フレーム以外の別途のフレームを必要としない。その結果、一般的なロッジ型テントと比較して複雑な支持フレームの組み立てを必要とせずに、容易にロッジ型テントを設営することができる。このように、本発明のロッジ型テントによれば、主空間をリビングとして、副空間を寝室として等利用者のニーズに応じて内部空間を活用することができる。
【００１３】
本発明のロッジ型テントの前記副空間構成部は、少なくとも第一副空間構成部、及び第二副空間構成部を有し、前記第一副空間構成部、及び第二副空間構成部が、それぞれ前記支持フレームを介して対向する位置に一対の前記副空間を形成可能とされていることとすることが望ましい。
【００１４】
上述の構成によれば、これらの副空間構成部は相互に離反する方向に張設され、ロッジ型テント全体が支持フレームを中央に平衡した状態となる。その結果、ロッジ型テント全体が安定して設営される。また、支持フレームの傾斜部が隣接する両側面がいずれも下方に向けて張設される。このため、ロッジ型テント全体を地面に対して固定しつつ、安定して設営される。
【００１５】
ここで、一般的にロッジ型テントの外形はドーム型テントと比較して大型となる。このような大型のロッジ型テントに副空間構成部を設けると、さらに外形が大型となりロッジ型テントの壁面等の風を受ける領域が大きくなる。その結果、ロッジ型テント全体への風による荷重が増加し、風によるテント倒壊のおそれが高くなる。
【００１６】
上述した問題に対応するため本発明のロッジ型テントは、前記幕体の一部を開閉可能とされた開口部を有し、前記開口部として、少なくとも第一開口部、及び第二開口部が設けられており、前記支持フレームに対して前記幕体を装着した状態において、前記第一開口部及び前記第二開口部が、相互に向かい合う位置に構成されることが望ましい。
【００１７】
上述の構成によれば、これらの開口部を開放状態として、第一開口部と第二開口部とが配置される方向に吹く風を逃がしつつ、強風によりテントが倒壊することを抑制することができる。また、これらの開口部によりロッジ型テント内部の通気性が高まり、夏は涼しく快適に過ごすことができる。
【００１８】
また、一般的にテントの窓部には、テント外部から虫等が侵入することを防止するために網状の幕で構成される窓（メッシュ窓）が設けられ、メッシュ窓を覆うようにカバーが設けられている。テント内部に雨水が浸入することを防止するためにこのようなカバーが設けられているものの、カバーを完全に閉じてしまうとテント内部が暗くなり圧迫感が生じる可能性がある。
【００１９】
そこで、かかる課題に対応するため本発明のロッジ型テントは、前記幕体の一部を開閉可能とされた開口部を有し、前記開口部の少なくとも一つが、前記支持フレームに対して前記幕体を装着した状態において窓を構成するものであり、前記窓を構成する前記開口部を閉塞するように、透光性を有する透光性部材を着脱可能であることとしてもよい。
【００２０】
上述の構成によれば、天候あるいは気候に応じて、透光性を有する部材により窓を閉塞することができる。特に雨天の場合は、窓に対して透光性部材を装着して雨水の侵入を回避しつつ、外の景観を楽しみながらロッジ型テントの内部で過ごすことができる。
【００２１】
さらに、テント内部はアウトドア活動において生活空間となる。そのため、様々な状況において、例えば昼間は太陽光をある程度遮りつつ、夜間は外部からテント内部を遮蔽してプライバシーを確保する等の状況においてテント内部を遮蔽可能とすることが望まれる。このようにテント内部を遮蔽するために、利用者の好みに応じてカーテンを取り付け可能とすることが望まれる。
【００２２】
かかるニーズに対応するため本発明のロッジ型テントは、前記幕体の一部を開閉可能とされた開口部を有し、前記開口部の少なくとも一つが、前記支持フレームに対して前記幕体を装着した状態において窓を構成するものであり、前記内部空間側であって、前記窓を構成する前記開口部の上方に、他部材を吊り下げ可能な吊下部が設けられていることが望ましい。
【００２３】
上述の構成によれば、吊下部に直接カーテンを吊るす、あるいはカーテンを吊るすためのポールを取り付けてポールにカーテンを吊るすことができる。これにより、テント専用のカーテンに限定されず、シャワーカーテン等汎用のカーテンをロッジ型テントに取り付けることができる。その結果、より居住空間らしい室内として利用者の好みに応じてカーテンを選択することができる。また、ロッジ型テント内部を状況に応じて遮蔽し得る。
【００２４】
本発明のロッジ型テントは、前記内部空間において前記副空間を区画する副空間区画体を有することとしてもよい。
【００２５】
上述の構成によれば、副空間を区画された空間とすることができる。その結果、着替え用空間として副空間を利用する等、多岐の目的に応じて副空間を利用し得る。
【００２６】
上述した副空間区画体は、前記副空間内に配置されるインナーテントとしてもよい。
【００２７】
上述の構成によれば、副空間をさらに遮蔽された空間として区画するこができる。その結果、より利用者のプライバシーを確保しつつロッジ型テント内部で過ごすことができる。
【００２８】
前記副空間区画体は、前記支持フレーム又は前記幕体に対して着脱可能であることが望ましい。
【００２９】
係る構成によれば、野外キャンプ参加人数や状況に応じて、ロッジ型テント内部の遮蔽空間を形成することが可能となり、利用者のニーズに応じてロッジ型テントを活用し得る。
【００３０】
本発明のロッジ型テントに係る前記幕体の材質は、全部又は一部が合成繊維と綿との混合繊維により構成されるものを用いることができる。
【００３１】
上述の構成によれば、合成繊維のみから構成される幕体と比較して、空気層を多く含む。そのため、空気層の断熱効果により夏は涼しく冬は暖かく、ロッジ型テント内部において快適に過ごすことができる。さらに合成繊維のみから構成される幕体と比較して、裂けにくく、火の粉による穴が開きにくい。そのため、幕体の破損を抑制することができる。
【００３２】
上述の前記副空間構成部は、前記傾斜部から下方に垂れて前記副空間構成部の壁面を構成する下垂部を備えることが望ましい。
【００３３】
上述の構成によれば、ロッジ型テントの支持フレームで構成される領域を主空間としつつ、副空間を得ることができる。これらの空間により、ロッジ型テント内部に複数の空間が形成される。本発明のロッジ型テントの副空間は、支持フレームから張設される傾斜部の下方に形成される。そのため、副空間を構成するために支持フレーム以外の別途のフレームを必要としない。その結果、一般的なロッジ型テントと比較して複雑な支持フレームの組み立てを必要とせずに、容易にロッジ型テントを設営することができる。このように、本発明のロッジ型テントによれば、主空間をリビングとして、副空間を寝室として等利用者のニーズに応じて内部空間を活用することができる。
【００３４】
前記幕体は、前記傾斜部の上方側近傍を前記支持フレームに対して位置決めする位置決め部を備えることが望ましい。
【００３５】
上述の構成によれば、傾斜部の上方側が支持フレームに対して位置決めされる。これにより、傾斜部が引っ張られて幕体の支持フレームに対する位置がずれることを抑制することができる。
【００３６】
本発明のロッジ型テントは、前記ロッジ型テントと連結されて地面に打ち込んで固定される固定具を備え、前記傾斜部が前記支持フレームの上方側から前記固定具に向けて張設されるものであることが望ましい。
【００３７】
上述の構成によれば、ロッジ型テントを地面に対して固定するために通常用いられるペグ等の固定具を、副空間構成部を張設するための固定具として兼用して用いることができる。その結果、ロッジ型テントを地面に対して固定しつつ、副空間構成部を張設することができる。
【００３８】
上述した支持フレームは、前記支持フレームの屋根を構成する棒材の一部又は全部が傾斜して構成され、前記主空間構成部の屋根が傾斜して構成されることとしてもよい。
【００３９】
上述の構成によれば、屋根を構成する棒材が幕体を上方に押し上げ、屋根部に傾斜ができる。その結果、屋根部に雨水等が溜まることを抑制して、雨水等の重みによりロッジ型テントが傾くことを抑制することができる。
【発明の効果】
【００４０】
本発明は、広い主空間を確保しつつ副空間を備え、かつ通常のロッジ型テントの組立てと同様に支持フレームの組み立てが簡易なロッジ型テントを提供することができる。
【図面の簡単な説明】
【００４１】
【図１】本発明のロッジ型テントの出入口側外観斜視図である。
【図２】図１のロッジ型テントの窓側外観斜視図である。
【図３】図１のロッジ型テントの支持フレーム斜視図である。（ａ）は出入口側斜視図、（ｂ）は窓側斜視図である。
【図４】図１のロッジ型テントの外観図である。（ａ）は正面図、（ｂ）は平面図である。
【図５】図１のロッジ型テントの位置決め部を示している。（ａ）は出入口側に設けられた位置決め部を示す斜視図、（ｂ）は位置決め部の配置を示す平面図である。
【図６】図１のロッジ型テントのインナーテントを示している。（ａ）は斜視図、（ｂ）はインナーテントの配置を示す正面概略図である。
【図７】図６（ａ）のインナーテントを支持フレームに取り付けた場合の斜視図である。
【図８】図１のロッジ型テントの第１開閉幕の様々な使用状態を示す正面図である。（ａ）は第１開閉幕を全て閉じた状態、（ｂ）は第１開閉幕を全て畳んだ状態、（ｃ）はカバーを畳んだ状態、（ｄ）は第１開閉幕を半分畳んだ状態である。
【図９】第２開口部の詳細を示す斜視図である。（ａ）はロッジ型テントの外側、（ｂ）は主空間側を示している。
【図１０】図１のロッジ型テントの風耐性を示す概略図である。（ａ）は長手方向からロッジ型テントに対して風が吹き付ける場合、（ｂ）は幅方向からロッジ型テントに対して風が吹き付ける場合である。
【図１１】図１のロッジ型テントの吊下ポケットを示す斜視図である。
【図１２】図１１の吊下ポケットを支持フレームに取り付けた場合の斜視図である。
【発明を実施するための形態】
【００４２】
以下、本発明の第一の実施形態に係るロッジ型テント１０について図面を参照しつつ説明する。なお、以下においてはロッジ型テント１０が設営された状態について説明している。ロッジ型テント１０は、図１及び図２に示すような外観を有している。ロッジ型テント１０は、図３に示す支持フレーム２０と、図１及び図２の外観図に示される幕体５０とを備えている。さらに幕体５０は、図４（ａ）に示すとおり、主空間構成部６０、第１副空間構成部１１０及び第２副空間構成部１２０を備えている。
【００４３】
ロッジ型テント１０は、幕体５０が支持フレーム２０に対して取り付けられ図１の外観を構成し、幕体５０の内部には空間が構成される。図４（ａ）に示すとおり、主空間構成部６０の内部には図示を省略した支持フレーム２０が配置され、支持フレーム２０（図示を省略）が主空間構成部６０により覆われた領域には、主空間Ｍが形成される。
【００４４】
図４（ａ）に示すとおり、主空間構成部６０の両側には第１副空間構成部１１０及び第２副空間構成部１２０が配置される。第１副空間構成部１１０の内部には第１副空間Ｓ１が、第２副空間構成部１２０の内部には第２副空間Ｓ２が形成される。さらに、図１に示すとおり、主空間構成部６０には利用者が主空間Ｍに出入りするための出入口として第１開口部８０が設けられる。一方、図２に示すとおり、第１開口部８０と向かい合うように位置する壁面には、ロッジ型テント１０の窓として機能する第２開口部１００が設けられている。
【００４５】
なお、以下においては特に記載がない限り、「出入口側」とはロッジ型テント１０において第１開口部８０が設けられている方向を、「窓側」とはロッジ型テント１０において第２開口部１００が設けられている方向を意味する。また、「長手方向」とは第１副空間構成部１１０及び第２副空間構成部１２０が配置されている軸線方向を、「幅方向」とは平面視上長手方向と交差する方向を意味する（図４（ｂ）参照）。
【００４６】
支持フレーム２０は、ロッジ型テント１０の骨格を形成し、主空間構成部６０を支持している。支持フレーム２０は、複数のポール（棒材）を組み立てて構成される。図３（ａ）に示すとおり、支持フレーム２０は、４本の支柱ポール２１，２２，２３，２４が屋根フレーム３０を支持している。また、図３（ｂ）に示すとおり、支持フレーム２０は窓側に拡張フレーム４０を備えている。
【００４７】
より具体的には、図３（ａ）に示すとおり、支持フレーム２０は、立設した状態となるよう組み立てられる支柱ポール２１，２２，２３，２４と、これらを連結する桁ポール２５，２６とを備えている。支柱ポール２１，２２は桁ポール２５により、支柱ポール２３，２４は桁ポール２６により連結されて、支持フレーム２０の長手方向側面を構成する。  
【００４８】
屋根フレーム３０は、図３（ａ）に示すとおり合掌ポール３１，３２，３３，３４及び棟ポール３５を備えている。合掌ポール３１，３２は、これらの一端が交差して連結され、それぞれの他端が支柱ポール２１，２３に連結される。また、合掌ポール３３，３４についても、これらの一端が交差して連結され、それぞれの他端が支柱ポール２２，２４に連結される。棟ポール３５は、合掌ポール３３，３４が交差して連結される窓側の連結点と、合掌ポール３１，３２が交差して連結される出入口側の連結点とを連結して、さらに出入口側に突出して配置される。これらにより、屋根フレーム３０は、切妻屋根の形状を構成する。なお、上述したこれらのポールは、ジョイント（図示せず）を用いて連結される。
【００４９】
拡張フレーム４０は、支持フレーム２０の一部として設けられている。拡張フレーム４０は、図３（ｂ）に示すとおり、副支持ポール４１，４２、梁ポール４３及び連結ポール４４，４５を備えている。副支持ポール４１，４２は、立設した状態となるよう組み立てられる。副支持ポール４１，４２は、梁ポール４３により連結される。さらに、副支持ポール４１は連結ポール４４を介して桁ポール２６と連結され、副支持ポール４２は連結ポール４５を介して桁ポール２５と連結される。
【００５０】
続いて、幕体５０について図面を参照しつつ詳細に説明する。幕体５０は、支持フレーム２０に対して装着され、内部に空間を形成する。幕体５０の素材は、ポリコットンで構成されている。図４（ａ）及び（ｂ）に示すとおり、幕体５０は、主空間構成部６０、第１副空間構成部１１０及び第２副空間構成部１２０を備えている。第１副空間構成部１１０と第２副空間構成部１２０とは、主空間構成部６０を中心としてそれぞれ長手方向に配置される。
【００５１】
主空間構成部６０は、上述のとおり支持フレーム２０のポールに沿って、支持フレーム２０を覆い囲むように配置される。また、支持フレーム２０が骨格を形成する領域には主空間Ｍが構成される。主空間構成部６０は、ロッジ型テント１０の屋根を構成する屋根部６２、出入口側の壁面を構成する出入口壁面７０、窓側の壁面が拡張された拡張部９０を備えている（図１及び図２参照）。
【００５２】
屋根部６２は、主空間Ｍの屋根として機能する。図１及び図４（ｂ）に示すとおり、屋根部６２には、幅方向全長に亘り長手方向略中央に位置するよう設けられた棟ポール配置部６６が設けられている。棟ポール配置部６６の主空間Ｍ側には、棟ポール３５が位置する。また、図１に示すとおり、屋根部６２は棟ポール配置部６６から長手方向両側に向けて下方に傾斜した形状となる。屋根部６２の出入口側には、出入口壁面７０よりも出入口側に突出するよう設けられた庇部６４が位置する。
【００５３】
出入口壁面７０には、図１に示すとおり、第１開口部８０が設けられている。第１開口部８０は、ロッジ型テント１０において出入口として機能する。また、第１開口部８０には、第１開口部８０と略同等の大きさとされた第１開閉幕８２が取り付けられている。第１開閉幕８２は、第１開口部８０の縁に沿って取り付けられている第１ファスナー７６により、開閉可能とされている。これにより、第１開口部８０を開放状態としてロッジ型テント１０の外側と内部空間との相互の出入りを可能としつつ、第１開口部８０を閉じた状態とすることもできる。
【００５４】
出入口壁面７０には、図４（ａ）に示すようにポール貫通部７２ａ，７２ｂ，７２ｃが設けられている。ポール貫通部７２ａ，７２ｂ，７２ｃは、桁ポール２５，２６及び棟ポール３５が主空間Ｍからロッジ型テント１０の外側に向けて貫通できるよう設けられている。
【００５５】
拡張部９０は、主空間構成部６０の一部として設けられている。拡張部９０は、図２及び図４（ｂ）に示すように、主空間構成部６０において窓側に位置するよう設けられている。拡張部９０の内部には、拡張フレーム４０が位置して内側より支持される。図２及び図４（ｂ）に示すとおり、拡張部９０は、出入口壁面７０と向かい合うように配置される窓壁面９２と、窓壁面９２の両側に位置する拡張壁面９４ａ，９４ｂにより壁面が構成されている。窓壁面９２には、窓壁面９２の開口とされ、ロッジ型テント１０の窓として第２開口部１００が設けられている。また、図２に示すとおり、第２開口部１００の周縁には第２ファスナー１０２が設けられている。さらに、第２開口部１００には第２開口部１００と略同等の大きさとされた第２開閉幕１０４が設けられる。第２開閉幕１０４は、第２ファスナー１０２を開閉することにより窓壁面９２に対して開閉可能とされている。
【００５６】
窓壁面９２のロッジ型テント１０外側には、後に詳述する透明幕１０７、窓部材取付部１０５及び幕収納部１０１が設けられている。また、窓壁面９２の主空間Ｍ側にはカーテン用ループ１０８ａ，１０８ｂが設けられている（図９参照）。
【００５７】
続いて、位置決め部５２について詳細に説明する。幕体５０には、支持フレーム２０に対して幕体５０を位置決めするための位置決め部５２が設けられている。図５（ｂ）に示すとおり、位置決め部５２は、支持フレーム２０を構成するポールの出入口側端部が格納されるポール格納部５３ａ，５３ｂ、５３ｃと、ポールの窓側端部付近に対して接続される固定紐５４ａ，５４ｂ、５４ｃとから構成される。ポール格納部５３ａ，５３ｂ、５３ｃは、一端が閉じた筒型の袋形状とされている。また、固定紐５４ａ，５４ｂ、５４ｃは、幕体５０側に固定された紐として設けられている。
【００５８】
位置決め部５２は、幕体５０の下方に向く面に設けられている。より具体的には、図５（ｂ）に示すとおり、ポール格納部５３ａ，５３ｂ、５３ｃは庇部６４の出入口側端部に、固定紐５４ａ，５４ｂ、５４ｃは屋根部６２の窓側端部に設けられている。位置決め部５２は、桁ポール２５，２６及び棟ポール３５に対して取り付けられる。
【００５９】
幕体５０の支持フレーム２０に対する位置決めについて、さらに詳細に説明する。図５（ａ）に示すとおり、桁ポール２６はポール貫通部７２ｃを貫通して幕体５０の内部から外部に向けて突出して、出入口側の端部（基端）がポール格納部５３ｃに格納される。一方、図５（ｂ）に示すとおり、桁ポール２６の窓側端部（他端）には、固定紐５４ｃが取り付けられる。これにより、幕体５０における屋根部６２と後述する第２傾斜部１２２との連結線近傍が桁ポール２６に対して位置決めされる。
【００６０】
同様に、桁ポール２５に対してはポール格納部５３ａ及び固定紐５４ａが取り付けられ、幕体５０における屋根部６２と後述する第１傾斜部１１２との連結線近傍が桁ポール２６に対して位置決めされる。さらに、棟ポール３５に対してはポール格納部５３ｂ及び５４ｂが取り付けられ、屋根部６２の中心線が棟ポール３５に対して位置決めされる。
【００６１】
これらにより、幕体５０の屋根部６２が、全域に亘って支持フレーム２０に対して位置決めされるとともに、後述する第１傾斜部１１２及び第２傾斜部１２２の上方側端部が、桁ポール２５，２６に対してそれぞれ位置決めされる。
【００６２】
続いて、第１副空間構成部１１０及び第２副空間構成部１２０の具体的構成について図面を参照しつつ説明する。上述のとおり、ロッジ型テント１０は、第１副空間構成部１１０と第２副空間構成部１２０を備えている。
【００６３】
第１副空間構成部１１０と第２副空間構成部１２０とは、図４（ｂ）に示す平面視上、主空間構成部６０の右側には第１副空間構成部１１０が配置され、左側には第２副空間構成部１２０が配置される。第１副空間構成部１１０と第２副空間構成部１２０とは、主空間構成部６０を中心に左右対象の構成とされている。
【００６４】
第１副空間構成部１１０は、図１及び図４（ｂ）に示すとおり、第１傾斜部１１２、第１下垂部１１４及び第１ロープ取付部１１６を備えている。第１傾斜部１１２は、平面視上略矩形の形状とされ、上方に位置する端部（基端）が屋根部６２に対して取り付けられている。第１傾斜部１１２の下方に位置する端部（他端）には、第１ロープ取付部１１６が取り付けられている。第１ロープ取付部１１６には第１ロープ１１７が連結され、さらに第１ロープ１１７は地面に対して打ち込み固定された第１ペグ１１８（固定具）に対して連結される。第１傾斜部１１２には、図１に示すとおり、第１傾斜部１１２の外縁を囲むように第１下垂部１１４が設けられる。
【００６５】
上述のとおり、第１傾斜部１１２と屋根部６２との連結線近傍は、桁ポール２５に対して位置決めされている。第１傾斜部１１２の他端は、第１ロープ取付部１１６に取り付けられた第１ロープ１１７を介して第１ペグ１１８に対して接続される。すなわち、第１傾斜部１１２は、屋根部６２から第１ペグ１１８に向けて張った状態となり、屋根部６２から地面に向かう傾斜を構成する（図１参照）。張った状態となった第１傾斜部１１２の外縁からは、第１下垂部１１４が地面に向かって垂れる。これらにより、第１傾斜部１１２が屋根を、第１下垂部１１４が壁面を構成して第１副空間Ｓ１が形成される。
【００６６】
第２副空間構成部１２０は、図４（ａ）及び（ｂ）に示すとおり、第２傾斜部１２２、第２下垂部１２４及び第２ロープ取付部１２６を備えている。第２副空間構成部１２０の構成は、主空間構成部６０を中心に左右対称とされている。そのため、ここでは詳細な説明を省略する。なお、第２傾斜部１２２と屋根部６２との連結線近傍は、桁ポール２６に対して位置決めされ、屋根部６２から地面に向かう傾斜を構成する。第２傾斜部１２２の外縁からは、第２下垂部１２４が地面に向かって垂れる。これにより、第２傾斜部１２２が屋根を、第２下垂部１２４が壁面を構成して第２副空間Ｓ２が形成される。
【００６７】
第１副空間構成部１１０及び第２副空間構成部１２０は、第１傾斜部１１２及び第２傾斜部１２２が、支持フレーム２０に支持された屋根部６２から第１ペグ１１８及び第２ペグ１２８に向けて引っ張られて、第１副空間Ｓ１及び第２副空間Ｓ２が形成される。すなわち、第１副空間構成部１１０及び第２副空間構成部１２０は、これらを支持するためのフレームを必要とせずに空間が形成される。
【００６８】
上述のとおり、第１傾斜部１１２及び第２傾斜部１２２の屋根部６２側は、それぞれ桁ポール２５，２６に対して位置決めされている。そのため、第１傾斜部１１２及び第２傾斜部１２２が第１ペグ１１８及び第２ペグ１２８に向かって張設されても、幕体５０は支持フレーム２０に対して位置決めされた状態を保持できる。
【００６９】
さらに、第１傾斜部１１２及び第２傾斜部１２２は主空間構成部６０を中心として左右対称の構成とされ、桁ポール２５，２６から相互に離反する方向であって、それぞれ下方に向けて張設される。そのため、ロッジ型テント１０全体として平衡して、地面に対して固定しつつ設営される。これらにより、ロッジ型テント１０は安定して設営される。
【００７０】
第１副空間構成部１１０及び第２副空間構成部１２０の内部にそれぞれ構成される第１副空間Ｓ１及び第２副空間Ｓ２には、図６（ｂ）に示すとおり、第１インナーテント１５０（副空間区画体）及び第２インナーテント１６０（副空間区画体）が配置されている。第１インナーテント１５０は、図６（ａ）に示すとおり、概ね第１副空間構成部１１０に沿った外観を有している。第１インナーテント１５０は、取付フック１５６ａ，１５６ｂ及び入口１５８を備えている。なお、第２インナーテント１６０についても、第１インナーテント１５０と同様の構成とされている。そのため、ここでは詳細な説明を省略する。
【００７１】
第１インナーテント１５０は、図７に示すとおり、桁ポール２５に対して吊り下げられて第１副空間構成部１１０に配される。これにより、第１副空間Ｓ１は、区画された空間として構成される。
【００７２】
ロッジ型テント１０は、図１１に示す外観を有する吊下ポケット１３０を備えている。吊下ポケット１３０は、支持フレーム２０を構成するポールに対して吊り下げられて、ロッジ型テント１０内部において、収納部として機能する。
【００７３】
吊下ポケット１３０は、図１１に示すとおり、３つのポケット部１３２ａ，１３２ｂ，１３２ｃと、吊下フック１３４ａ，１３４ｂが設けられている。吊下フック１３４ａ，１３４ｂは、図１２に示すとおり、支持フレーム２０を構成するポールに対して取り付けられ、下方をペグ等により固定される。ポケット部１３２ａ，１３２ｂ，１３２ｃには、小物等を収納することができる。また、吊下ポケット１３０は、利用者の好みに応じて支持フレーム２０の任意のポールに取り付けることができる。
【００７４】
続いて、第１開口部８０及び第２開口部１００について、以下詳細に説明する。上述のとおり、ロッジ型テント１０は、出入口側に第１開口部８０を、窓側に第２開口部１００を備えている。
【００７５】
上述のとおり、第１開口部８０は、第１開閉幕８２が設けられ、第１ファスナー７６により開閉可能とされている。図８（ａ）に示すとおり、第１ファスナー７６は、第１開口部８０の周縁に沿って屋根部６２側から第２副空間構成部１２０側に亘り設けられている。第１開閉幕８２には、さらにドア窓８６と、ドア窓８６を覆うカバー８４とが設けられている。第１開口部８０は、これらにより様々な態様の開口形態を可能としている。図８（ｂ）は、第１開閉幕８２を全域に亘って畳み、第１開口部８０全域を開放した状態である。なお、図中のハッチングは開口部分を示している。また、図８（ｃ）は、第１開閉幕８２を閉じた状態としつつ、カバー８４を折り畳んでドア窓８６のみを開放した状態である。さらに、図８（ｄ）は、第１開閉幕８２を半分畳んだ状態として、第１開口部８０の略半分の領域を開放させた状態である。このように、第１開口部８０は、気候に応じて、あるいは利用者の好みに応じて開口形態を変化させることができる。
【００７６】
第２開口部１００の外側には上述のとおり第２開閉幕１０４が設けられ、開閉可能とされている。図９（ａ）に示すとおり、第２開口部１００の外側には、第２開口部１００の上部近傍に幕収納部１０１が、第２開口部１００の周縁には窓部材取付部１０５が設けられ、さらに、窓部材取付部１０５に対して着脱可能な透明幕１０７（透光性部材）及びメッシュ幕１０６が準備されている。また、図９（ｂ）に示すとおり、第２開口部１００の主空間Ｍ側には、カーテン用のポール等を取り付けるためのカーテン用ループ１０８ａ，１０８ｂ（吊下部）が設けられている。
【００７７】
透明幕１０７（透光性部材）は、第２開口部１００と略同等の大きさとされた透明ビニール素材のビニールシート１０７ａの周縁に対して係止ボタン１０７ｂが設けられている。透明幕１０７の素材は、ポリ塩化ビニル（ビニール）の他、ポリエチレン、ポリプロピレン等、透明の軟質プラスチックを用いることができる。透明幕１０７は、係止ボタン１０７ｂを窓部材取付部１０５の係止ループ１０５ａに対して貫通させて第２開口部１００に対して着脱可能とされている。
【００７８】
また、メッシュ幕１０６は、第２開口部１００と略同等の大きさとされた網状のメッシュシート１０６ａの周縁に対して、係止ボタン１０６ｂが設けられた構成されている。メッシュ幕１０６についても、係止ボタン１０６ｂを窓部材取付部１０５の係止ループ１０５ａに対して貫通させて係止させることにより、第２開口部１００に対して着脱可能とされている。
【００７９】
上述のように、第２開口部１００は、メッシュ幕１０６又は透明幕１０７のいずれも着脱可能とされている。そのため、例えば降雨時においては透明幕１０７を第２開口部１００に対して取り付けて雨水がロッジ型テント１０内部に侵入することを防いだり、メッシュ幕１０６を第２開口部１００に対して取り付けて風通しを確保しつつ虫の侵入を防ぐことができる。このように、ロッジ型テント１０は、天候や利用者のニーズに応じて第２開口部１００の窓部材を選択することができる。さらに、これらの透明幕１０７及びメッシュ幕１０６は、丸めて折り畳み、幕収納部１０１に対して収納することができる。
【００８０】
さらに、上述のとおり、窓壁面９２の主空間Ｍ側であって、第２開口部１００の周縁上部に近接する位置には、カーテン用ループ１０８ａ，１０８ｂ（吊下部）が設けられている（図９参照）。カーテン用ループ１０８ａ，１０８ｂには、カーテン用のポールを貫通させてポールを支持してカーテンを吊るしたり、あるいはカーテン用ループ１０８ａ，１０８ｂに対して直接カーテンを取り付けるなどして、第２開口部１００に利用者の好みに応じてカーテンを取り付けることができる。これにより、ロッジ型テント１０内部をさらに居住空間らしく演出することができる。また、ロッジ型テント１０内部を外部から遮蔽したい場合に、第２開閉幕１０４の開閉によらずに、カーテンを適宜利用して、ロッジ型テント外部から内部を遮蔽することができる。さらに、カーテン用ループ１０８ａ，１０８ｂには、懐中電灯や虫除けを吊るす等、利用者の便宜に応じて利用することができる。
【００８１】
続いて、様々な天候におけるロッジ型テント１０の耐性について説明する。図９（ａ）に示すとおり、ロッジ型テント１０の全体外観は、長手方向に第１傾斜部１１２、第２傾斜部１２２及び屋根部６２が構成され、側面視上緩やかな傾斜面を形成する。そのため、ロッジ型テント１０は、長手方向より吹き付ける風をこれらの傾斜に沿って上方に逃がしつつ受ける。そのため、長手方向からの風による荷重を減少させて、風によるロッジ型テント１０の倒壊リスクを低下させている。
【００８２】
また、図１０（ｂ）に示すとおり、ロッジ型テント１０は第１開口部８０と第２開口部１００とが、向かい合うように配置されている。そのため、第１開口部８０と第２開口部１００とを開放状態とすると、幅方向から吹く風は第１開口部８０及び第２開口部１００を通過する。そのため、幅方向から吹く風を逃がし、ロッジ型テント１０が風により倒壊するリスクを低下させている。また、さらにロッジ型テント１０の主空間Ｍでの通気性を確保することができる。
【００８３】
ロッジ型テント１０の屋根部６２は、棟ポール配置部６６を中心として両側に緩やかに傾斜している。そのため、降雨した雨水が屋根部６２に滞留しにくい。これにより、ロッジ型テント１０の屋根部６２が滞留した雨水の重みで延びたり、ロッジ型テント１０が屋根部６２に滞留した雨水の荷重により傾く等のリスクを低下させている。
【００８４】
また、ロッジ型テント１０の幕体５０は、上述のとおりポリコットンから構成されている。幕体５０は、合成繊維のみから構成される幕体と比較して、空気層を多く含む。そのため、空気層の断熱効果により夏は涼しく冬は暖かく、ロッジ型テント１０の内部空間を快適に過ごすことができる。
【００８５】
ロッジ型テント１０は、上述のとおり、第２開口部１００に対してメッシュ幕１０６あるいは透明幕１０７を着脱可能としている。また、カーテン用ループ１０８ａ，１０８ｂに対してカーテンを取り付けることができる。そのため、利用者の好みに応じて、あるいは天候に応じて第２開口部１００の窓部材を適宜選択することができる。
【００８６】
また、ロッジ型テント１０は、主空間Ｍをリビングとして利用しつつ、第１副空間Ｓ１及び第２副空間Ｓ２を寝室として、あるいは着替え場所として利用する等、利用者が適宜選択することができる。
【００８７】
このように、ロッジ型テント１０は、広い主空間Ｍを確保しつつ第１副空間Ｓ１及び第２副空間Ｓ２を設け、さらに風耐性、通気性及び快適性を高めている。こらにより、ロッジ型テント１０を用いれば利用者の多様なニーズに幅広く対応することができ、ロッジ型テント１０内部において快適に過ごすことができる。
【００８８】
以上、本発明の代表的な実施形態について説明したが、本発明のロッジ型テントはこれに限定されない。
【００８９】
本実施形態においては、主空間構成部６０の一部として拡張部９０を設けた例を示したが、拡張部９０を設けないものとしてもよい。これにより、さらに支持フレーム２０を構成するポールの構成数が減少し、ロッジ型テント全体の軽量化が図れる。
【００９０】
また、本実施形態においては、幕体５０をいわゆるフライシートのように支持フレーム２０を外側から覆う形態とした例を示したが、本発明のロッジ型テントはこれに限定されない。すなわち、幕体５０をインナーテントの形状として、支持フレーム２０の内側に位置するように装着されるものとしてもよい。幕体５０の素材については、ポリコットンを用いた例を示したが、幕体５０の素材はこれに限定されない。すなわち、ポリエステル、ナイロン等の合成繊維のみから構成されるものとしてもよいし、その他の素材を用いてもよい。あるいは、構成により異なる素材を用いたものとしてもよい。
【００９１】
また、本実施形態においては、第１副空間構成部１１０及び第２副空間構成部１２０の２つの副空間構成部を設けた例を示したが、副空間構成部をひとつとしてもよい。さらには、副空間構成部を窓側にさらに設けて３つの副空間構成部を設けてもよい。
【００９２】
副空間構成部の内側の第１インナーテント１５０及び第２インナーテント１６０は設けないものとしてもよいし、１つとしてもよい。さらにはインナーテントを設けずに、第１傾斜部１１２から下方に垂れる第１下垂部１１４を、第１傾斜部１１２の外縁全周に亘って設けて区画された副空間を形成してもよい。
【００９３】
さらに、上述した第１開口部８０、第２開口部１００を開閉するための手段として、第１ファスナー７６及び第２ファスナー１０２を、またメッシュ幕１０６及び透明幕１０７の着脱手段としてボタンとループによる着脱手段の一例を示したが、これらの着脱又は開閉手段はこれに限定されない。すなわち、ファスナー、面ファスナー、マグネット、紐、ホック、スライドビニール等、いずれの手段を用いてもよい。さらに、インナーテント１５０，１６０及び吊下ポケット１３０を支持フレーム２０に対して吊り下げる部材として、取付フック１５６ａ，１５６ｂ及び吊下フック１３４ａ，１３４ｂとして、フックを用いた例を示したが、その他面ファスナー、ボタン、ロープ等種々選択可能である。
【００９４】
また、本実施形態におけるロッジ型テント１０は、切妻屋根の形状とされた一例を示したが、屋根フレーム３０は複数のポールが略中央に向かって傾斜して構成される方形屋根の形状とされたものであってもよい。また、支柱ポールは必ずしも垂直に立設するものでなくともよい。例えば、支柱ポールの上方から下方にかけて、支柱フレームの外側に向けて傾斜しているものであってもよい。
【００９５】
本実施形態においては、ロッジ型テント１０を単独で用いる例を示したが、ロッジ型テント１０を複数連結して用いてもよい。具体的には、ロッジ型テント１０を幅方向に並べ連結して用いることも可能である。例えば、ロッジ型テント１０の窓側にさらにロッジ型テント１０を配置し、窓壁面９２と出入口壁面７０とを連結することができる構成としてもよい。
【００９６】
本発明のロッジ型テントは、特許請求の範囲に記載された本発明の技術的思想の範囲内で種々の設計変更が可能であり、それらは全て本発明に含まれるものである
【産業上の利用可能性】
【００９７】
本発明は、広い主空間を確保しつつ副空間を備えた複数の空間を有するロッジ型テントとして、好適に用いることができる。
【符号の説明】
【００９８】
１０              ロッジ型テント
２０              支持フレーム
５０              幕体
５２              位置決め部
６０              主空間構成部
８０              第１開口部
１００            第２開口部
１０７            透明幕（透光性部材）
１０８ａ，１０８ｂ    カーテン用ループ（吊下部）
１１０            第１副空間構成部
１１２            第１傾斜部
１１４            第１下垂部
１２０            第２副空間構成部
１２４            第２傾斜部
１２４            第２下垂部
１５０            第１インナーテント（副空間区画体）
１６０            第２インナーテント（副空間区画体）
Ｍ                主空間
Ｓ１              第１副空間
Ｓ２              第２副空間
【図１】
0006566777.tif 000002
【図２】
0006566777.tif 000003
【図３】
0006566777.tif 000004
【図４】
0006566777.tif 000005
【図５】
0006566777.tif 000006
【図６】
0006566777.tif 000007
【図７】
0006566777.tif 000008
【図８】
0006566777.tif 000009
【図９】
0006566777.tif 000010
【図１０】
0006566777.tif 000011
【図１１】
0006566777.tif 000012
【図１２】
0006566777.tif 000013